(57)【要約】【課題】固液分離とし渣に対する消毒処理とを適切かつ確実に行なう。【解決手段】し渣受け体３１１はし渣Ｍを蓄える内容器３１１ｈを備えている。各し渣受け体３１１は移動手段３１２により、固液分離手段３０からのし渣Ｍの供給を受け得る第一位置と供給手段３１３からの消毒液の供給を受け得る第二位置との間に亘る移動可能に支持されている。制御手段３２により、第一位置に先行して位置づけられたし渣受け体３１１の内容器３１１ｈ中のし渣Ｍのレベルが満タンレベルに至ったことが検知されたときに、このし渣受け体３１１を第二位置に移動させると共に後続のし渣受け体３１１を第一位置に移動させ、この後第二位置に移動されたし渣受け体３１１の外容器３１１ａの流出口３１１ｃを閉鎖させて消毒液を供給してこのし渣受け体３１１を一定時間この消毒液で満たし、この一定時間の経過を報知する。【選択図】図１
2010240575.tif 000002
【特許請求の範囲】
【請求項１】
感染症病棟などから生じる排水の処理装置であって、
この排水からし渣を取り除く固液分離手段と、
この固液分離手段によって取り除かれたし渣の消毒手段と、
制御手段とを備えており、
消毒手段は、二以上のし渣受け体と、し渣受け体の移動手段と、消毒液の供給手段とを備えており、
し渣受け体は、上部にし渣の受け入れ口を有し且つ底部に液体の流出口を備えた外容器と、この外容器内に取り出し可能に納められて前記受け入れ口からのし渣を蓄えるかご状の内容器とを備えており、
各し渣受け体は前記移動手段により、少なくとも、固液分離手段からのし渣の供給を受け得る第一位置と供給手段からの消毒液の供給を受け得る第二位置との間に亘る移動可能に支持されており、
制御手段により、第一位置に先行して位置づけられたし渣受け体の内容器中のし渣のレベルが満タンレベルに至ったことが検知されたときに、このし渣受け体を第二位置に移動させると共に後続のし渣受け体を第一位置に移動させ、この後第二位置に移動されたし渣受け体の外容器の流出口を閉鎖手段により閉鎖させて前記供給手段から消毒液を供給してこのし渣受け体を一定時間この消毒液で満たし、この一定時間の経過を報知するようにしてなることを特徴とする排水処理装置。
【発明の詳細な説明】
【技術分野】
【０００１】
この発明は、感染症病棟や解剖室などから生じる排水の最終処理に先立って、この排水からし渣を取り除いて、このし渣とこのし渣を取り除かれた排水とにそれぞれ必要な消毒を施せるようにするための装置の改良に関する。
【背景技術】
【０００２】
感染症病棟や解剖室などから生じる排水のように、通常の処理では感染の危険性がある排水は、最終処理に先立って消毒をすることが義務づけられている。かかる排水は、最終処理に先立ってし渣とし渣の取り除かれた排水に固液分離され、両者にはそれぞれ消毒処理がなされる。消毒処理されたし渣は廃棄物処理法に基づき処分され、し渣を取り除かれた排水は消毒処理後放流される。かかる消毒処理に薬品を用いる場合には、一般に次亜塩素酸ソーダが用いられ、し渣に対しては一定濃度（現在は遊離塩素濃度１０００ｐｐｍ以上）の次亜塩素酸ソーダに一定時間（現在は一時間）し渣をさらすことでかかる消毒処理をしている。
【０００３】
こうしたことから、この種の排水処理では一般に、バケットスクリーンなどと称される水切りかご状のし渣受け体が用いられており、排水をこのし渣受け体に送り込んで固液分離をなすと共に、し渣受け体からし渣があふれ出す前にこのし渣受け体を消毒液につけ込んで取り除かれたし渣の消毒をなすようにしている。
【０００４】
しかし、かかる一般的な手法では、第一に、排水を直接的にし渣受け体に送り込むため、このし渣受け体に目詰まりを生じやすく、適切な固液分離を期し難い場合が少なからずあり、また、第二に、し渣受け体を消毒するタイミングを明確に把握することができないため、し渣受け体からし渣をあふれ出させてしまう事態、つまりオーバーフローの可能性を払拭し切れない。
【発明の概要】
【発明が解決しようとする課題】
【０００５】
この発明が解決しようとする主たる問題点は、この種の排水の処理装置において、固液分離とし渣に対する消毒処理とを、適切かつ確実に行えるようにする点にある。
【課題を解決するための手段】
【０００６】
前記課題を達成するために、この発明にあっては、排水処理装置を、以下の（１）〜（７）の構成を備えたものとした。
（１）感染症病棟などから生じる排水の処理装置であって、
（２）この排水からし渣を取り除く固液分離手段と、
この固液分離手段によって取り除かれたし渣の消毒手段と、
制御手段とを備えており、
（４）消毒手段は、二以上のし渣受け体と、し渣受け体の移動手段と、消毒液の供給手段とを備えており、
（５）し渣受け体は、上部にし渣の受け入れ口を有し且つ底部に液体の流出口を備えた外容器と、この外容器内に取り出し可能に納められて前記受け入れ口からのし渣を蓄えるかご状の内容器とを備えており、
（６）各し渣受け体は前記移動手段により、少なくとも、固液分離手段からのし渣の供給を受け得る第一位置と供給手段からの消毒液の供給を受け得る第二位置との間に亘る移動可能に支持されており、
（７）制御手段により、第一位置に先行して位置づけられたし渣受け体の内容器中のし渣のレベルが満タンレベルに至ったことが検知されたときに、このし渣受け体を第二位置に移動させると共に後続のし渣受け体を第一位置に移動させ、この後第二位置に移動されたし渣受け体の外容器の流出口を閉鎖手段により閉鎖させて前記供給手段から消毒液を供給してこのし渣受け体を一定時間この消毒液で満たし、この一定時間の経過を報知するようにしてなる。
【発明の効果】
【０００７】
この発明にかかる排水処理装置によれば、排水からし渣の取り除きを先ず固液分離手段によりなし、取り除かれたこのし渣をし渣受け体に受け入れるようにしていることから、排水からのし渣の分離をスムースかつ適切に行うことができると共に、し渣受け体には含水率の低いし渣が受け入れられるのでし渣受け体の内容器の目詰まりを生じさせることもない。また、第一位置に先行して位置づけられたし渣受け体の内容器中のし渣のレベルが満タンレベルになったときには、このし渣受け体を第二位置に移動させると共に後続のし渣受け体を第一位置に移動させて、先行のし渣受け体に消毒処理を施し且つその終了を報知するようにしてあることから、し渣受け体のオーバーフローを生じさせることはなく、排水から取り除かれたし渣の全てに確実に消毒処理を施すことができる。
【図面の簡単な説明】
【０００８】
【図１】図１は排水処理装置の概要構成を示した構成図である。
【図２】図２は排水処理装置の詳細構成を示した正面構成図である。
【図３】図３は排水処理装置の詳細構成を示した側面構成図である。
【発明を実施するための形態】
【０００９】
以下、図１〜図３に基づいて、この発明を適用して構成された排水処理装置の一例について説明する。
【００１０】
この実施の形態にかかる排水処理装置は、感染症病棟や解剖室などから生じるいわゆる感染系の排水Ｗの最終処理に先立って、この排水Ｗからし渣Ｍを取り除いて、このし渣Ｍとこのし渣Ｍを取り除かれた排水Ｗとにそれぞれ必要な消毒を施せるようにするために用いられるものである。
【００１１】
前記排水Ｗは、排水処理装置３に移送され、固液分離される。排水処理装置３においてし渣Ｍには消毒処理が施され、消毒処理されたし渣Ｍは後述の報知により消毒処理の終了を知らされた作業者により排水処理装置３から取り出され、最終処理される。排水処理装置３においては後述の固液分離手段３０とし渣受け体３１１とにおいて排水Ｗからし渣Ｍが取り除かれ、し渣Ｍの取り除かれた排水Ｗは排水処理装置３外に送り出され最終処理される。前記消毒処理においてし渣受け体３１１に満たされた消毒液も消毒終了後は排水Ｗ装置外に送り出され、図示の例ではし渣Ｍの取り除かれた排水Ｗと一緒にされる。
【００１２】
図示の例では、図１中、符号１に示される一次側槽から符号２に示される移送ポンプによって排水Ｗが排水処理装置３に送り込まれ、し渣Ｍを取り除かれた排水Ｗと消毒終了後の消毒液は排水処理装置３から符号４で示される二次側槽に送り込まれる。二次側槽４に集められたこれらの液体（原液Ｗ’）は最終処理工程に送られ、薬剤（現在は次亜塩素酸ソーダ）の濃度を一定にした状態での一定時間の消毒がなされた後放流される。
【００１３】
かかる排水処理装置３は、固液分離手段３０と、し渣Ｍの消毒手段３１と、制御手段３２とを備えている。
【００１４】
図示の例では、箱状本体３３の上部に固液分離手段３０を備えさせると共に、箱状本体３３の内部に消毒手段３１を備えさせている。
【００１５】
図示の例では、固液分離手段３０を、箱状本体３３の上部に回転可能に支持されたドラムスクリーン３０１と、このドラムスクリーン３０１を覆うフード３０２と、このドラムスクリーン３０１の外周面に付着したし渣Ｍを掻き取るスクレーパー３０３とを備えたものとしている。ドラムスクリーン３０１は、その周面をし渣Ｍは通さないが水は通過させる濾過面とした中空体であり、図示の例では、ドラムスクリーン３０１の回転中心３０１ａを通る鉛直線を挟んだ両側にそれぞれ備えられたプーリ３０４によって箱状本体３３上に支持されている。これらプーリ３０４の一つを符号３０５で示されるモータにより回転させることでドラムスクリーン３０１を図２における時計回りの向きに回転させるようになっている。フード３０２内にはドラムスクリーン３０１の上端側に排水Ｗを案内する流路３０２ａが形成されていると共に、ドラムスクリーン３０１の下端側の直下位置において箱状本体３３の上部はフード３０２内と連通されており、前記流路３０２ａに案内された排水Ｗはドラムスクリーン３０１の周面にし渣Ｍを付着させてこれを濾過された状態で箱状本体３３内に流下されるようになっている。ドラムスクリーン３０１の上端よりもこのドラムスクリーン３０１の回転先側に位置されるドラムスクリーン３０１の側端側には、上端をこの側端側においてドラムスクリーン３０１の周面に外接させたスクレーパー３０３が備えられており、前記のように周面に付着したし渣Ｍはドラムスクリーン３０１の回転によりこのスクレーパー３０３に掻き取られて落下するようになっている。スクレーパー３０３の直下において箱状本体３３の上部にはし渣Ｍの通過口３３１が開設されており、掻き取られたし渣Ｍはこの通過口３３１を通じて後述の第一位置にあるし渣受け体３１１内に蓄えられる。
【００１６】
制御手段３２は、典型的には、コンピュータにより構成される。制御手段３２は、前記移送ポンプ２、固液分離手段３０、および消毒手段３１を構成する各機器および後述のセンサ３４と接続され、これらの各機器の稼働を制御する。また、制御手段３２は、後述の第二位置に移動されたし渣受け体３１１の消毒処理の終了を外部に報知する。この報知は、典型的には、制御手段３２と接続された図示しない報知手段（制御手段３２を納めた制御盤に備えられたブザーやＬＥＤなど）を用いてなす。また、制御手段３２を構成するコンピュータを通信ネットワークなどの公知の通信手段に接続させるようにしておけば排水処理装置３の近傍にいない者に前記消毒処理の終了を知らせることができる。
【００１７】
し渣Ｍの消毒手段３１は、二以上のし渣受け体３１１と、し渣受け体３１１の移動手段３１２と、消毒液の供給手段３１３とを備えてなる。図示の例では、し渣受け体３１１を二個としている。各し渣受け体３１１はそれぞれ、上部にし渣Ｍの受け入れ口３１１ｂを有し且つ底部に液体の流出口３１１ｃを備えた外容器３１１ａと、この外容器３１１ａ内に取り出し可能に納められて前記受け入れ口３１１ｂからのし渣Ｍを蓄えるかご状の内容器３１１ｈとから構成されている。かかる外容器３１１ａ及び内容器３１１ｈは、ポリ塩化ビニル樹脂などの耐腐食性を備えた材料から構成させる。
【００１８】
図示の例では、外容器３１１ａは、筒状主体３１１ｄと、この筒状主体３１１ｄよりも外径を小さくした下部筒部３１１ｅと、この筒状主体３１１ｄの筒下端と下部筒部３１１ｅの筒上端とを連接させる漏斗状の中間筒部３１１ｆとを備えており、筒状主体３１１ｄの筒上端を前記受け入れ口３１１ｂとし、かつ、下部筒部３１１ｅの筒下端を前記流出口３１１ｃとしている。
【００１９】
また、図示の例では、内容器３１１ｈは、外容器３１１ａの筒状主体３１１ｄの内径よりもやや外径を小さくした上面開放の有底筒状体の周面３１１ｉと底面３１１ｊとに複数の通液孔を形成させるようにして構成されている。図示の例では、外容器３１１ａの筒状主体３１１ｄと中間筒部３１１ｆとの連接箇所のやや上方において外容器３１１ａ内の空間は網状又はパンチングボード状をなす仕切り体３１１ｇにより上下に区分されており、内容器３１１ｈは外容器３１１ａ内においてこの仕切り体３１１ｇ上に載置されるようになっている。この載置状態において内容器３１１ｈの筒上端は外容器３１１ａの受け入れ口３１１ｂよりも下方に位置されている。
【００２０】
また、図示の例では、二つのし渣受け体３１１は、箱状本体３３の上部に軸支された鉛直軸３１２ａによって支持されている。かかる鉛直軸３１２ａは、箱状本体３３の上部に形成された軸受け部３３２に軸上端側を回転可能に支持されて、それより下方を箱状本体３３内に位置させている。この鉛直軸３１２ａの軸下端は、長尺板状のブラケット体３１２ｂの長さ方向略中程の位置に止め付けられている。そして、このブラケット体３１２ｂにおける鉛直軸３１２ａを挟んだ一方側に二個のし渣受け体３１１、３１１の一方が支持され、かつ、このブラケット体３１２ｂにおける鉛直軸３１２ａを挟んだ他方側に二個のし渣受け体３１１、３１１の他方が支持されている。図示の例では、かかるブラケット体３１２ｂに形成させた貫通孔に上方からし渣受け体３１１の下部筒部３１１ｅのみを入れ込ませてこのブラケット体３１２ｂ上にし渣受け体３１１の中間筒部３１１ｆより上方を載置させるようにして鉛直軸３１２ａの両側にそれぞれし渣受け体３１１が配されている。そして、図示の例では、このように鉛直軸３１２ａに支持された二つのし渣受け体３１１、３１１のいずれか一方が常時その外容器３１１ａの受け入れ口３１１ｂを箱状本体３３の前記通過口３３１の直下に位置させるようになっている。この通過口３３１の直下においてし渣受け体３１１は前記固液分離手段３０からのし渣Ｍの供給を受け得る。（以下、この位置を第一位置と称する。）
【００２１】
また、二個のし渣受け体３１１、３１１のうち、第一位置にあるし渣受け体３１１に対向する位置にあるし渣受け体３１１は、前記通過口３３１の直下に外容器３１１ａの受け入れ口３１１ｂを位置させないことからし渣Ｍの供給は受けないが前記供給手段３１３からの消毒液の供給を受け得るようになっている。（以下、この位置を第二位置と称する。）
【００２２】
図示の例では、図１において符号３１３ａで示す前記供給手段３１３を構成する消毒液の貯留タンクから符号３１３ｂで示すポンプにより第二位置にあるし渣受け体３１１内に消毒液が供給されるようにしてある。箱状本体３３の内部には、この第二位置にあるし渣受け体３１１の外容器３１１ａの前記流出口３１１ｃを塞ぐ可動弁体３１４が備えられている。この可動弁体３１４は、箱状本体３３の前後側壁３３３、３３３間に亘る横架材３３４に回動可能に支持されたアーム３１４ａの自由端に備えられており、このアーム３１４ａの回動軸３１４ｂに箱状本体３３の外側でプランジャーロッドを連係させたパワーシリンダー３１４ｃを動作させることにより、第二位置にあるし渣受け体３１１の外容器３１１ａの流出口３１１ｃを閉じた閉弁位置と、これを開放させた開弁位置（図２において想像線で示した位置）とに亘って可動弁体３１４を移動させることができるようになっている。
【００２３】
そして、図示の例では、箱状本体３３の上部に配されたパワーシリンダー３１２ｃが鉛直軸３１２ａに連係されており、このパワーシリンダー３１２ｃを動作させることにより鉛直軸３１２ａを回転させて、二個のし渣受け体３１１、３１１の一方を第一位置と第二位置との間に亘って移動させ、したがってまた、二個のし渣受け体３１１、３１１の他方を第二位置と第一位置との間に亘って移動させることができるようになっている。すなわち、各し渣受け体３１１は前記移動手段３１２により、固液分離手段３０からのし渣Ｍの供給を受け得る第一位置と供給手段３１３からの消毒液の供給を受け得る第二位置との間に亘る移動可能に支持されており、図示の例では、かかるパワーシリンダー３１２ｃにより回転される鉛直軸３１２ａによってこの移動手段３１２を構成させている。
【００２４】
そして、この実施の形態にあっては、前記制御手段３２により、第一位置に先行して位置づけられたし渣受け体３１１の内容器３１１ｈ中のし渣Ｍのレベルが満タンレベルに至ったことが検知されたときに、次の（１）〜（４）の段階を踏んで前記各機器を可動させるようにしている。ここで図示の例では、第一位置の直上に超音波センサなどの非接触検出センサ３４を設けて、このセンサ３４によりし渣受け体３１１の内容器３１１ｈ中のし渣Ｍの上面のレベルを計測することで、かかる満タンレベル（通常は、オーバーフローを直ちに招かないレベル）への到達の有無を検知するようにしている。
（１）移動段階：前記移動手段３１２を稼働して、第一位置に先行して位置づけられたし渣受け体３１１を第二位置に移動させると共に後続のし渣受け体３１１を第一位置に移動させる。この移動が済むまでは前記移送ポンプ２及びドラムスクリーン３０１の稼働を停止し、この移動が済んだらこれらの稼働を再開する。
（２）閉弁段階：上記（１）の移動が終了したら、第二位置に移動されたし渣受け体３１１の外容器３１１ａの流出口３１１ｃを閉鎖手段としての前記可動弁体３１４により閉鎖させる。
（３）消毒液充填段階：上記（２）の閉鎖が終了したら、前記供給手段３１３から第二位置に移動されたし渣受け体３１１に消毒液を供給してこのし渣受け体３１１をこの消毒液で満たす。
（４）消毒液排出段階：一定時間が経過したら、第二位置に移動されたし渣受け体３１１の外容器３１１ａの流出口３１１ｃの前記（３）の閉鎖を解き、このし渣受け体３１１内から消毒液を流下させる。
そして、前記消毒液排出段階が終了したときは、そのことを前記のように外部に報知する。報知手段による発報（ブザーの吹鳴など）を作業者が解除したときは、制御手段３２は初期状態に復帰（リセット）されるようにしておく。この初期状態から、前記満タンレベルが検知されると、制御手段３２による前記（１）〜（４）の段階を踏んだ前記各機器の稼働が再びなされる。かかる報知を受けて第二位置にあるし渣受け体３１１の内容器３１１ｈの取り出しを検知したときに、報知手段の発報が解除されると共に、制御手段３２が初期状態に復帰されるようにしておいても良い。
【００２５】
この実施の形態にかかる排水処理装置３によれば、排水Ｗからし渣Ｍの取り除きを先ず固液分離手段３０によりなし、取り除かれたこのし渣Ｍをし渣受け体３１１に受け入れるようにしていることから、排水Ｗからのし渣Ｍの分離を固液分離手段３０とし渣受け体３１１とにおいてそれぞれスムースかつ適切に行うことができると共に、し渣受け体３１１には含水率の低いし渣Ｍが受け入れられるのでし渣受け体３１１の内容器３１１ｈの目詰まりを生じさせることもない。
【００２６】
第一位置にあるし渣受け体３１１の内容器３１１ｈに蓄えられたし渣Ｍに残存している水分は、外容器３１１ａの流出口３１１ｃから流下され、固液分離手段３０においてし渣Ｍを取り除かれた排水Ｗと一緒に箱状本体３３の底部の排出口３３５から排水処理装置３外に送り出される。
【００２７】
また、第一位置に先行して位置づけられたし渣受け体３１１の内容器３１１ｈ中のし渣Ｍのレベルが満タンレベルになったときには、このし渣受け体３１１を第二位置に移動させると共に後続のし渣受け体３１１を第一位置に移動させて、先行のし渣受け体３１１に消毒手段３１により消毒処理を施し且つその終了（し渣受け体３１１の外容器３１１ａの流出口３１１ｃを閉鎖手段により閉鎖してこのし渣受け体３１１内を消毒液で満たして一定時間経過した状態）を報知するようにしてあることから、この報知を契機にして消毒処理の終了したし渣受け体３１１の内容器３１１ｈを装置内から取り出し、その中の消毒済みのし渣Ｍを最終処理に回し、空になったこの内容器３１１ｈを再び第二位置にあるし渣受け体３１１の外容器３１１ａ内にセットする作業を遅滞なく行うことができる。図示の例では、箱状本体３３の上部であって第二位置にあるし渣受け体３１１の上方には図示しないハッチにより閉鎖された開放部が形成されており、この開放部を利用して装置本体内から内容器３１１ｈを取り出せるようにしてある。これにより、装置内の第一位置には、し渣Ｍを貯める余裕のあるし渣受け体３１１を常時位置させることができ、し渣受け体３１１のオーバーフローを生じさせることはなく、排水Ｗから取り除かれたし渣Ｍの全てに確実に消毒処理を施すことができる。
【００２８】
なお、し渣受け体３１１を三個以上とするときは、典型的には、そのうちの一つを前記第一位置に位置づけ、他の一つを前記第二位置に位置づけ、その余のし渣受け体３１１をこの第一位置と第二位置との間の中間位置に位置づけるようにすることとなる。
【符号の説明】
【００２９】
Ｗ  排水
Ｍ  し渣
３  排水処理装置
３０  固液分離手段
３１  消毒手段
３１１  し渣受け体
３１１ａ  外容器
３１１ｂ  受け入れ口
３１１ｃ  流出部
３１１ｈ  内容器
３１２  移動手段
３１３  供給手段
３２  制御手段
【図１】
2010240575.tif 000003
【図２】
2010240575.tif 000004
【図３】
2010240575.tif 000005